(57)【要約】【課題】高い反発性能を発揮しうるゴルフクラブヘッドを提供する。【解決手段】内側に中空部ｉが設けられたゴルフクラブヘッド１であって、ボールを打撃するフェース２ａを有するフェース部２と、フェース部２に連なりヘッド後方にのびるフェース周辺領域７とを含む。フェース周辺領域７の少なくとも一部には、フェース部２側からヘッド後方にのびて終端する前側部分８と、ヘッド後方からフェース部２側にのびて終端する後側部分９とが設けられている。前側部分８と後側部分９とは、互いに固着されておらず、前側部分８及び後側部分９の一方は、ヘッド前後方向にのびる差込孔１０が設けられている。前側部分８及び後側部分９の他方は、ヘッド前後方向に移動可能に差込孔１０に挿入されている。【選択図】図２
2015157037.tif 000002
【特許請求の範囲】
【請求項１】
内側に中空部が設けられたゴルフクラブヘッドであって、
ボールを打撃するフェースを有するフェース部と、前記フェース部に連なりヘッド後方にのびるフェース周辺領域とを含み、
前記フェース周辺領域の一部には、前記フェース部側からヘッド後方にのびて終端する前側部分と、ヘッド後方から前記フェース部側にのびて終端する後側部分とが設けられており、
前記前側部分と前記後側部分とは、互いに固着されておらず、
前記前側部分及び前記後側部分の一方は、ヘッド前後方向にのびる差込孔が設けられており、
前記前側部分及び前記後側部分の他方は、ヘッド前後方向に移動可能に前記差込孔に挿入されていることを特徴とするゴルフクラブヘッド。
【請求項２】
前記差込孔が前記前側部分に設けられており、前記後側部分が前記差込孔に挿入されている請求項１記載のゴルフクラブヘッド。
【請求項３】
前記前側部分は、前記差込孔が設けられた主部を有し、
前記主部は、ヘッド後方にのびる延長部を含んでいる請求項２記載のゴルフクラブヘッド。
【請求項４】
前記延長部は、前記後側部分よりも厚さが大きい厚肉部を含んでいる請求項３記載のゴルフクラブヘッド。
【請求項５】
前記厚肉部は、ヘッドのトウ・ヒール方向にのびている請求項４記載のゴルフクラブヘッド。
【請求項６】
スイートスポットを含むヘッド縦断面において、前記厚肉部は、ヘッド重心よりも前記フェース部側に位置している請求項４又は５に記載のゴルフクラブヘッド。
【請求項７】
前記差込孔は、前記ヘッド後方に向かって上下幅が漸減するテーパ孔部を含み、
前記後側部分は、前記フェース部でのボール打撃時、相対的に、前記テーパ孔部からヘッド前方に移動可能であるとともに、静的な状態では、前記テーパ孔にヘッド後方への移動が拘束された状態で嵌り合うテーパ部を含む請求項１乃至６のいずれかに記載のゴルフクラブヘッド。
【請求項８】
前記差込孔が前記後側部分に設けられており、前記前側部分が前記差込孔に挿入されている請求項１記載のゴルフクラブヘッド。
【請求項９】
前記後側部分は、前記差込孔が設けられた主部を有し、
前記主部は、前記前側部分と接触することなくヘッド前方にのびる延長部を含んでいる請求項８記載のゴルフクラブヘッド。
【請求項１０】
前記延長部は、前記前側部分よりも厚さが大きい厚肉部を含んでいる請求項９記載のゴルフクラブヘッド。
【請求項１１】
前記厚肉部は、ヘッドのトウ・ヒール方向にのびている請求項１０記載のゴルフクラブヘッド。
【請求項１２】
スイートスポットを含むヘッド縦断面において、前記厚肉部は、ヘッド重心よりも前記フェース部側に位置している請求項１０又は１１に記載のゴルフクラブヘッド。
【発明の詳細な説明】
【技術分野】
【０００１】
本発明は、高い反発性能を発揮しうるゴルフクラブヘッドに関する。
【背景技術】
【０００２】
下記特許文献１は、内部に中空部を有するゴルフクラブヘッドを開示している。このゴルフクラブヘッドは、フェース部とソール部とを具えており、ソール部のフェース側は、金属材料と金属材料に囲まれたエラストマー材料とで構成されている。このゴルフクラブヘッドは、ボール打撃時、エラストマー材料が圧縮されて、フェース部が効果的に撓み、大きな反発性能が得られる。
【０００３】
下記特許文献２及び３は、内部に中空部を有するゴルフクラブヘッドを開示している。これらのゴルフクラブヘッドは、ソール部のフェース側に、溝状部を有している。溝状部は小さな剛性を有しているので、ボール打撃時、ソール部の溝状部の変形により、フェース部が効果的に撓み、大きな反発性能が得られる。
【０００４】
しかしながら、特許文献１のゴルフクラブヘッドは、ボール打撃時の衝撃により、エラストマーがゴルフクラブヘッドから剥離し易いという問題があった。
【０００５】
また、特許文献２及び３のゴルフクラブヘッドは、十分な反発性能の向上が期待できないという問題があった。
【先行技術文献】
【特許文献】
【０００６】
【特許文献１】米国特許第８３２８６５９号明細書
【特許文献２】米国特許第８２３５８４４号明細書
【特許文献３】米国特許第８４３０７６３号明細書
【発明の概要】
【発明が解決しようとする課題】
【０００７】
本発明は、高い反発性能を持つゴルフクラブヘッドを提供することを主たる目的としている。
【課題を解決するための手段】
【０００８】
本発明は、内側に中空部が設けられたゴルフクラブヘッドであって、ボールを打撃するフェースを有するフェース部と、前記フェース部に連なりヘッド後方にのびるフェース周辺領域とを含み、前記フェース周辺領域の一部には、前記フェース部側からヘッド後方にのびて終端する前側部分と、ヘッド後方から前記フェース部側にのびて終端する後側部分とが設けられており、前記前側部分と前記後側部分とは、互いに固着されておらず、前記前側部分及び前記後側部分の一方は、ヘッド前後方向にのびる差込孔が設けられており、前記前側部分及び前記後側部分の他方は、ヘッド前後方向に移動可能に前記差込孔に挿入されていることを特徴とする。
【０００９】
本発明の前記ゴルフクラブヘッドにおいて、前記差込孔は、前記前側部分に設けられ、前記後側部分は、前記差込孔に挿入されても良い。
【００１０】
本発明の前記ゴルフクラブヘッドにおいて、前記前側部分は、前記差込孔が設けられた主部を有し、前記主部は、ヘッド後方にのびる延長部を含んでも良い。
【００１１】
本発明の前記ゴルフクラブヘッドにおいて、前記延長部は、前記後側部分よりも厚さが大きい厚肉部を含んでも良い。
【００１２】
本発明の前記ゴルフクラブヘッドにおいて、前記厚肉部は、ヘッドのトウ・ヒール方向にのびても良い。
【００１３】
本発明の前記ゴルフクラブヘッドにおいて、スイートスポットを含むヘッド縦断面において、前記厚肉部は、ヘッド重心よりも前記フェース部側に位置しても良い。
【００１４】
本発明の前記ゴルフクラブヘッドにおいて、前記差込孔は、前記ヘッド後方に向かって上下幅が漸減するテーパ孔部を含み、前記後側部分は、前記フェース部でのボール打撃時、相対的に、前記テーパ孔部からヘッド前方に移動可能であるとともに、静的な状態では、前記テーパ孔にヘッド後方への移動が拘束された状態で嵌り合うテーパ部を含むことができる。
【００１５】
本発明の前記ゴルフクラブヘッドにおいて、前記差込孔が前記後側部分に設けられており、前記前側部分が前記差込孔に挿入されても良い。
【００１６】
本発明の前記ゴルフクラブヘッドにおいて、前記後側部分は、前記差込孔が設けられた主部を有し、前記主部は、前記前側部分と接触することなくヘッド前方にのびる延長部を含んでも良い。
【００１７】
本発明の前記ゴルフクラブヘッドにおいて、前記延長部は、前記前側部分よりも厚さが大きい厚肉部を含んでも良い。
【００１８】
本発明の前記ゴルフクラブヘッドにおいて、前記厚肉部は、ヘッドのトウ・ヒール方向にのびても良い。
【００１９】
本発明の前記ゴルフクラブヘッドにおいて、スイートスポットを含むヘッド縦断面において、前記厚肉部は、ヘッド重心よりも前記フェース部側に位置しても良い。
【発明の効果】
【００２０】
本発明のゴルフクラブヘッドは、ボール打撃時、フェース部から伝わる力によって、フェース周辺領域は弾性変形する。一方、フェース周辺領域の少なくとも一部には、互いに固着されていない前側部分と後側部分とが設けられているため、フェース周辺領域は、前側部分と後側部分との相対的なヘッド前後方向のずれを伴って、より大きく弾性変形する。このようなフェース周辺領域の大きな弾性変形により、フェース部も前後方向に大きく撓み、大きな反発性能を提供することができる。
【００２１】
また、本発明のゴルフクラブヘッドは、フェース周辺領域の前側部分及び後側部分の一方は、ヘッド前後方向にのびる差込孔が設けられており、前側部分及び後側部分の他方は、ヘッド前後方向に移動可能に差込孔に挿入されている。従って、本発明のゴルフクラブヘッドは、フェース部の大きな撓みを提供しながら、中空部への異物の進入を極力妨げることができる。
【図面の簡単な説明】
【００２２】
【図１】本発明の一実施形態のゴルフクラブヘッドの斜視図である。
【図２】図１のＡ−Ａ部分断面図である。
【図３】図２のソール部付近の部分拡大図である。
【図４】図１のゴルフクラブヘッドからフェース部を取り除いた部分破断斜視図である。
【図５】図１のゴルフクラブヘッドをソール部側から見た分解斜視図である。
【図６】本発明の他の実施形態のゴルフクラブヘッドのソール部付近の拡大断面図であり、（Ａ）はヘッドの静的な状態、（Ｂ）は、ボールを打撃したときの状態をそれぞれ示している。
【図７】本発明のさらに他の実施形態のゴルフクラブヘッドの断面図である。
【発明を実施するための形態】
【００２３】
以下、本発明の実施の形態が図面に基づき説明される。本明細書及び図面において、全ての実施の形態を通して、同一又は共通する要素については、同一の符号が付されている。
【００２４】
図１は、本実施形態のゴルフクラブヘッド（以下、単に「ヘッド」ということがある。）１の斜視図を示している。
【００２５】
ヘッド１は、金属材料で形成されている。金属材料としては、例えば、ステンレス合金、マレージング鋼、チタン、チタン合金、マグネシウム合金又はアルミニウム合金が望ましい。ヘッド１は、１種又は２種以上の金属材料を含むことができる。ヘッド１の一部に、繊維強化樹脂が用いられても良い。
【００２６】
ヘッド１は、内部の中空部ｉを画定するように、フェース部２、クラウン部３、ソール部４、サイド部５を含んでいる。
【００２７】
フェース部２は、ボールの打撃面であるフェース２ａを有している。クラウン部３は、フェース部２に連なりヘッド上面を形成している。ソール部４は、フェース部２に連なりヘッド底面を形成している。サイド部５は、クラウン部３とソール部４との間をつないでいる。このサイド部５のトウ側及びヒール側は、それぞれフェース部２に接続されている。クラウン部３のヒール側には、ホーゼル部６が設けられている。ホーゼル部６は、シャフト（図示省略）が固定可能なように、シャフト差込孔６ａを有した筒状である。
【００２８】
本実施形態のヘッド１は、ウッド型のものが示されている。ウッド型のヘッドは、少なくともドライバー（＃１）、ブラッシー（＃２）、スプーン（＃３）、バフィ（＃４）及びクリーク（＃５）を含んでいる。加えて、ウッド型のヘッドは、先に列挙されたものと番手又は名称が異なっていても、ほぼ類似した形状を持つヘッドを含む。他の実施形態では、ヘッド１は、アイアン型又はユーティリティー型に構成され得る。
【００２９】
図２には、図１のヘッド１のＡ−Ａ断面図が示されている。この断面図は、スイートスポットＳＳを含むヘッド縦断面である。スイートスポットＳＳとは、ヘッド重心Ｇからフェース２ａに下ろした垂線Ｎの足である。縦断面とは、ヘッド１が規定のライ角及びロフト角及びフック角で水平面ＨＰに置かれた基準状態において、前記垂線Ｎを含み水平面ＨＰと直角な断面のことである。「規定のライ角」、「規定のロフト角」及び「規定のフック角」は、それぞれ、当該ヘッド１に定められたライ角、ロフト角及びフック角の意味である。
【００３０】
ヘッド１は、フェース部２に連なりヘッド後方にのびるフェース周辺領域７を含んでいる。ヘッド後方とは、フェース２ａとは、反対側を意味する。
【００３１】
フェース周辺領域７は、フェース部２を囲むように、フェース部２に隣接している領域である。このフェース周辺領域７は、クラウン部３、ソール部４、及び、サイド部５を含んでいる。
【００３２】
フェース周辺領域７の剛性は、ボール打撃時のフェース部２の撓みに大きな影響を与える。本実施形態のヘッド１は、ボール打撃時にフェース部２を大きく撓ませてヘッド１の反発性能を高めるために、フェース周辺領域７の一部に工夫がなされている。
【００３３】
本実施形態のヘッド１は、フェース周辺領域７であるソール部４の一部に、フェース部２側からヘッド後方にのびて終端する前側部分８と、ヘッド後方からフェース部２側にのびて終端する後側部分９とが設けられている。これらの前側部分８と後側部分９とは、互いに固着されていない。さらに、前側部分８及び後側部分９の一方は、ヘッド前後方向にのびる差込孔１０が設けられており、前側部分８及び後側部分９の他方は、差込孔１０にヘッド前後方向に移動可能に挿入されている。この実施形態では、前側部分８に差込孔１０が設けられ、後側部分９が、この差込孔１０に挿入された例が示されている。
【００３４】
ここで、ヘッド前後方向とは、フェース２ａをヘッド１の前側、バックフェースをヘッド１の後側としたときの前後方向である。また、ヘッド１の上下方向とは、前記基準状態での上下方向である。さらに、ヘッド１のトウ・ヒール方向とは、ヘッド前後方向及び上下方向にともに直交する方向である。
【００３５】
このようなヘッド１は、ボール打撃時、フェース部２から伝わる力によって、前側部分８と後側部分９とがヘッド前後方向に容易にずれる。このずれにより、その周辺を含むフェース周辺領域７に大きな弾性変形を生じさせる。このようなフェース周辺領域７の大きな弾性変形は、フェース部２のヘッド前後方向の大きな撓みを提供し、ひいては、大きな反発性能を発揮させることができる。従って、本実施形態のヘッド１は、大きな打球の飛距離をもたらす。
【００３６】
また、前側部分８には、ヘッド前後方向にのびる差込孔１０が設けられており、後側部分９は、ヘッド前後方向に移動可能に差込孔１０に挿入されている。従って、このようなヘッド１は、ボール打撃時、フェース部２の大きな撓みを提供しながら、異物が差込孔１０を経由して中空部ｉへ進入するのを極力防ぐことができる。
【００３７】
図３には、前側部分８と後側部分９とが設けられたフェース周辺領域７の部分拡大図が示されている。図４には、ヘッド１のフェース部２が取り除かれた一部破断斜視図が示されている。図３に特によく示されているように、前側部分８は、フェース２ａの縁（この例では、リーディングエッジ２ｅ）からヘッド後方にのびるフランジ部１１と、フランジ部１１からヘッド１の中空部ｉ側に立ち上がる主部１２とを含んでいる。
【００３８】
主部１２は、フェース部２の背面とは距離を隔てて設けられている。これにより、主部１２とフェース部２との間には、ボール打撃時、変形したフェース部２と主部１２との接触を防ぐための十分な隙間２０が提供されている。
【００３９】
主部１２には、ヘッド前後方向にのびる差込孔１０が設けられている。本実施形態の差込孔１０は、主部１２をヘッド前後方向に貫通しているが、一端が開放されかつ他端が閉じた有底孔でも良い。このような差込孔１０は、後側部分９のヘッド前後方向の移動量を一定の範囲に制限し、例えば、ヘッド１の耐久性を向上させるのに役立つ。さらに、差込孔１０の断面形状は特に限定されず、円形、長円形、矩形状など、様々な形状で形成され得る。本実施形態の差込孔１０は、図４に示されるように、ヘッド１の上下方向に小さく、トウ・ヒール方向に大きい偏平なスリット状の開口部として形成されている。さらに、差込孔１０は、図３において、水平線に沿ってのびているが、水平線に対して傾斜して設けられても良い。
【００４０】
図３及び図４に示されるように、後側部分９は、ソール部４の主要部を構成しているソール本体１３から前側部分８の差込孔１０に向かってのびている。より具体的には、後側部分９は、フェース部２側に向かって中空部ｉ側に傾斜した第１部分１４と、第１部分１４に連なってほぼヘッド水平にのびている第２部分１５とを含み、この第２部分１５が、差込孔１０に挿入されている。
【００４１】
第２部分１５は、前側部分８に対してヘッド前後方向に移動することができるように、差込孔１０よりもわずかに小さい断面形状を有している。これにより、後側部分９の第２部分１５は、差込孔１０内をスライドすることができる。また、第２部分１５が差込孔１０に挿入されることにより、差込孔１０の大部分は常時閉じられるので、異物が、差込孔１０からヘッド１の中空部ｉへの進入を極力防止することができる。
【００４２】
図３に示されるように、前側部分８の主部１２は、ヘッド後方にのびる延長部１２ａを含むことが望ましい。本実施形態の延長部１２ａは、差込孔１０の上側部分をヘッド後方に大きく伸ばして形成されている。この形態の延長部１２ａは、後側部分９と接触することなく設けられているが、このような態様に限定されるものではない。
【００４３】
さらに好ましい態様では、延長部１２ａは、後側部分９の厚さｔ１よりも大きい厚さｔ２を有する厚肉部１６を含むことが望ましい。このような厚肉部１６は、比較的大きな重量を有するため、その形状を適宜定めることによって、ヘッド１の重量配分要素として好適に利用することができる。
【００４４】
図４に示されるように、本実施形態の厚肉部１６は、ヘッド１のソール部４側でトウ・ヒール方向に長くのびている。厚肉部１６のトウ・ヒール方向の両端は、例えば、ヘッド１のサイド部５の内面に固着されている。このようなヘッド１は、より低い重心と大きな慣性モーメントを得ることができる。
【００４５】
特に好ましい態様では、図２に示したスイートスポットＳＳを含むヘッド縦断面において、厚肉部１６は、ヘッド重心Ｇよりもフェース部２側に位置しているのが望ましい。さらに好ましい態様では、厚肉部１６は、ヘッド重心Ｇよりもソール部４側に位置しているのが望ましい。このようなヘッド１は、より低くかつフェース部２に近い浅いヘッド重心Ｇを持つことができるので、例えば、上級者が好む弾道（低スピン量）を提供することができる。ただし、厚肉部１６は、本発明の必須の構成要件ではなく、任意の構成要素である。
【００４６】
図５には、本実施形態のヘッド１をソール部４側から見たヘッドの分解斜視図が示されている。ヘッド１は、例えば、フェース周辺領域７（この例ではソール部４）に開口部Ｏを有する中空のヘッド本体１Ａと、前記開口部Ｏに配されるソールプレート１Ｂとを含んで構成され得る。
【００４７】
ヘッド本体１Ａは、例えば、鋳造等によって一体に形成されるか、又は、２以上の部材を接合することにより、フェース周辺領域７に前側部分８を予め具えて形成されている。開口部Ｏは、前側部分８の主部１２の後端１２ｅからヘッド後方に比較的大きな開口を提供している。開口部Ｏのトウ側及びヒール側は、例えば、組立時において、ソールプレート１Ｂを中空部ｉ側から安定的に支えることができるように、例えば、支持面を具えた受け片２１、２１が設けられている。さらに、開口部Ｏのトウ側及びヒール側は、後側部分９のトウ側端面９ｔ及びヒール側端面９ｈに面するサイド壁２２が設けられている。
【００４８】
ソールプレート１Ｂは、例えば、プレス等によって成形されており、その前側には後側部分９が形成されている。本実施形態のヘッド１を得るために、ソールプレート１Ｂは、先ず、その後側部分９がヘッド本体１Ａの前側部分８の差込孔１０に挿入される。その後、ソールプレート１Ｂの後端２４側がヘッド本体１Ａに一体に固着される。必要により、ソールプレート１Ｂのトウ側端面９ｔの後端２４側及びヒール側端面９ｈの後端２４側も、それぞれ、ヘッド本体１Ａに固着されても良い。これにより、ソールプレート１Ｂの後側部分９は、ヘッド本体１Ａに片持ち状態で支持されて、本実施形態のヘッド１が製造される。
【００４９】
好ましい態様では、差込孔１０及び後側部分９の前縁９ｅは、それぞれトウ・ヒール方向にのびているのが望ましい。これにより、ボール打撃時、フェース部２のトウ・ヒール方向のより広い打撃位置において、フェース部２の大きな撓みを得ることができる。さらに好ましい態様では、差込孔１０及び後側部分９の前縁９ｅは、それぞれトウ・ヒール方向に、１０mm以上、より好ましくは２０mm以上の長さＬを有しているのが望ましい。一方、前記長さが大きくなると、ヘッド１の耐久性が低下するおそれがある。このような観点より、差込孔１０及び後側部分９の前縁９ｅは、それぞれトウ・ヒール方向に、８０mm以下、より好ましくは７０mm以下が望ましい。
【００５０】
また、好ましい態様では、差込孔１０及び後側部分９の前縁９ｅは、フェース部２の近くに位置しているのが望ましい。これにより、フェース部２をより大きく撓ませることができる。
【００５１】
さらに、好ましい態様では、前側部分８及び後側部分９は、本実施形態のようにソール部４に設けられる。他の実施形態では、前側部分８及び後側部分９は、クラウン部３や、サイド部５などに設けられても良い。また、クラウン部３、ソール部４及びサイド部５の２つ以上の部分に跨って形成されても良い。
【００５２】
図６（Ａ）には、本発明の他の実施形態のヘッド１の断面図が示されている。この断面図は、図２と同じ位置（図１のＡ−Ａ）の断面図である。本実施形態では、差込孔１０は、テーパ孔部１０ａを含んでおり、この差込孔１０に挿入されている後側部分９が前記テーパ孔部１０ａに嵌り合うテーパ部９ａを具えている。
【００５３】
差込孔１０は、フェース部２側からヘッド後方に、滑らかに上下幅が漸減するテーパ孔１０ａを具えている。ただし、差込孔１０は、その長さ方向の一部分が、テーパ孔部１０ａで構成されても良い。
【００５４】
一方、後側部分９は、テーパ孔部１０ａに適合するテーパ部９ａを含んでいる。本実施形態の後側部分９は、テーパ部９ａと、そのヘッド後方に連なりかつ上下幅が実質的に一定である非テーパ部９ｂとで構成されている。
【００５５】
以上のように構成されたヘッド１においては、次のような作用が得られる。先ず、フェース部２でのボール打撃時、図６（Ｂ）に示されるように、相対的なものとして、後側部分９のテーパ部９ａは、差込孔１０のテーパ孔部１０ａに沿って前方に移動できる。この点は、先の実施形態と同様である。また、本実施形態のヘッド１は、ボールを打撃していない静的な状態では、図６（Ａ）に示したように、後側部分９のテーパ部９ａは、差込孔１０のテーパ孔１０ａにヘッド後方への移動が拘束された状態で嵌り合う。
【００５６】
特に好ましくは、静的な状態において、後側部分９は、前側部分８によって、わずかに前方に引っ張られるように設計されるのが望ましい。これにより、差込孔１０のテーパ孔部１０ａとテーパ部９ａとがより密に接触し、両者の間の隙間を減らし、そこから中空部ｉ内への異物の進入をより確実に防ぐことができる。
【００５７】
この実施形態のヘッド１の前側部分８は、例えば、主部１２が、フランジ部１１から分離した状態で提供される。また、後側部分９も、ソール本体１３から分離した状態で提供される。後側部分９と主部１２とは、予め後側部分９を差込孔１０に挿入した状態に組み立てられた後、ソール本体１３及びフランジ部１１に、それぞれ固着される。
【００５８】
図７には、さらに本発明の他の実施形態が示されている。
この実施形態では、差込孔１０が後側部分９に設けられており、前側部分８が差込孔１０に挿入されている点で前記各実施形態とは異なっている。
【００５９】
この実施形態では、後側部分９は、差込孔１０が設けられた主部３０を有し、主部３０は、前側部分８と接触することなくヘッド前方にのびる延長部３２を含んでいる。延長部３２は、前側部分８よりも厚さが大きい厚肉部３２ａを含んでいる。厚肉部３２ａは、例えば、前記実施形態と同様に、ヘッド１のトウ・ヒール方向にのびている。
【００６０】
この実施形態においても、スイートスポットＳＳを含むヘッド縦断面において、厚肉部３２ａは、ヘッド重心Ｇよりもフェース部２側かつソール部５側に位置しているのが望ましい。
【００６１】
このような実施形態においても、先に説明した図２の実施形態と同様の作用が得られる。さらに、この実施形態では、図２の実施形態に比べると、前側部分の質量が小さいため、ボール打撃時に前側部分をより大きく変位させることが可能になる。
【００６２】
以上、本発明のいくつかの実施形態が詳細に説明されたが、本発明は、上記の具体的な実施形態に限定されるものでなく、種々の態様に変更して実施される。
【実施例】
【００６３】
表１の使用に基づいたウッド型ゴルフクラブヘッドが試作され、反発性能及び耐久性能について、テストされた。各ヘッドは、表１に示すパラメータを除いて、基本的に同一とされた。比較例は、前側部分と後側部分とが接触する接触面を溶接し、これらが相対的にヘッド前後方向に位置ずれできないように構成されたヘッドである。ヘッドの主な共通仕様は、以下の通りである。
ライ角：５８°
ロフト角：１５°
ヘッド質量：２０７ｇ
フェースのトウ・ヒール方向の最大幅：８５mm
テスト方法は、次の通りである。
【００６４】
＜反発性能＞
Ｕ．Ｓ．Ｇ．Ａ．の Procedure for Measuring the Velocity Ratio of a Club Head for Conformance to Rule 4-1e, Revision 2 (February 8, 1999)に準拠して反発係数が計算された。結果は、その中の最大値で比較し、比較例を１００とする指数で表示している。数値が大きいほど良好である。
【００６５】
＜耐久性能＞
各テストヘッドにダンロップスポーツ株式会社製のカーボンシャフト（ＭＰ−７００、フレックスＳ）が装着され、４５インチのウッド型ゴルフクラブが試作された。そして、これらが株式会社ミヤマエ製のスイングロボットに取り付けられ、ヘッドスピード５０m/sでゴルフボールを打撃し、ヘッドが破損するまでの打撃数（上限を３０００発とする。）が計測された。結果は、比較例の打撃数を１００とする指数であり、数値が大きいほど良好である。
【００６６】
テストの結果は、表１に示されている。テストの結果、実施例のヘッドは、優れた反発性能を発揮していることが確認された。
【００６７】
【表１】
2015157037.tif 000003
【符号の説明】
【００６８】
１  ゴルフクラブヘッド
２  フェース部
２ａ  フェース
３  クラウン部
４  ソール部
５  サイド部
７  フェース周辺領域
８  前側部分
９  後側部分
９ａ  テーパ部
１０  差込孔
１１  フランジ部
１２  主部
１２  前壁部
１６  厚肉部
【図１】
2015157037.tif 000004
【図２】
2015157037.tif 000005
【図３】
2015157037.tif 000006
【図４】
2015157037.tif 000007
【図５】
2015157037.tif 000008
【図６】
2015157037.tif 000009
【図７】
2015157037.tif 000010